【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  第１の鍵を予め定められた複数の第２の鍵で暗号化して第１の暗号化暗号鍵集合体を生成し、
コンテンツ暗号鍵または該コンテンツ暗号鍵の暗号鍵として使われる第３の鍵を予め定められた複数のメディア識別コードで暗号化して第２の暗号化暗号鍵集合体を生成し、
複数のメディア識別コードをメディア毎に前記第１の鍵で暗号化して暗号化メディア識別コードを生成し、
暗号化コンテンツ、コンテンツ暗号鍵、第１の暗号化暗号鍵集合体、第２の暗号化暗号鍵集合体、暗号化メディア識別コードを媒体に記録するコンテンツ記録方法。
【請求項２】  第１の鍵を予め定められた複数の第２の鍵で暗号化して第１の暗号化暗号鍵集合体を生成し、
コンテンツ暗号鍵または該コンテンツ暗号鍵の暗号鍵として使われる第３の鍵を予め定められた複数のメディア識別コードで暗号化して第２の暗号化暗号鍵集合体を生成し、
メディア識別コードと、メディア識別コード群内での位置情報をメディア毎に前記第１の鍵で暗号化して暗号化メディア識別コードを生成し、
暗号化コンテンツ、コンテンツ暗号鍵、第１の暗号化暗号鍵集合体、第２の暗号化暗号鍵集合体、暗号化メディア識別コードを媒体に記録するコンテンツ記録方法。
【請求項３】  第１の鍵を予め定められた複数の第２の鍵で暗号化して第１の暗号化暗号鍵集合体を生成し、
複数の暗号化メディア識別コードをメディア鍵で復号して複数のメディア識別コードを抽出し、コンテンツ暗号鍵または該コンテンツ暗号鍵の暗号鍵として使われる第３の鍵を複数のメディア識別コードで暗号化して第２の暗号化暗号鍵集合体を生成し、
暗号化コンテンツ、コンテンツ暗号鍵、第１の暗号化暗号鍵集合体、第２の暗号化暗号鍵集合体、メディア識別コードを媒体に記録するコンテンツ記録方法。
【請求項４】  第１の鍵を予め定められた複数の第２の鍵で暗号化して第１の暗号化暗号鍵集合体を生成し、
コンテンツ暗号鍵または該コンテンツ暗号鍵の暗号鍵として使われる第３の鍵を予め定められた複数のメディア識別コードで暗号化して第２の暗号化暗号鍵集合体を生成し、
複数のメディア識別コードをメディア毎に前記第１の鍵で暗号化して暗号化メディア識別コードを生成し、
コンテンツを暗号化するためのタイトル鍵をメディア固有鍵で暗号化して暗号化タイトル鍵を生成し、
コンテンツをタイトル鍵で暗号化して暗号化コンテンツを生成し、
第１の暗号化暗号鍵集合体、第２の暗号化暗号鍵集合体、暗号化メディア識別コード、暗号化タイトル鍵、暗号化コンテンツを媒体に記録するコンテンツ記録方法。
【請求項５】  第１の鍵を予め定められた複数の第２の鍵で暗号化して第１の暗号化暗号鍵集合体を生成し、
コンテンツ暗号鍵または該コンテンツ暗号鍵の暗号鍵として使われる第３の鍵を予め定められた複数のメディア識別コードで暗号化して第２の暗号化暗号鍵集合体を生成し、
複数のメディア識別コードをメディア毎に前記第１の鍵で暗号化して暗号化メディア識別コードを生成し、
コンテンツを暗号化するためのタイトル鍵をメディア固有鍵で暗号化して暗号化タイトル鍵を生成し、
暗号化タイトル鍵を秘匿鍵で多重暗号化して多重暗号化タイトル鍵を生成し、
秘匿鍵をメディア鍵で暗号化して暗号化秘匿鍵を生成し、
コンテンツをタイトル鍵で暗号化して暗号化コンテンツを生成し、
第１の暗号化暗号鍵集合体、第２の暗号化暗号鍵集合体、暗号化メディア識別コード、暗号化タイトル鍵、多重暗号化タイトル鍵、暗号化秘匿鍵、暗号化コンテンツを媒体に記録するコンテンツ記録方法。
【請求項６】  第１の鍵を予め定められた複数の第２の鍵で暗号化して生成した第１の暗号化暗号鍵集合体と、コンテンツ暗号鍵または該コンテンツ暗号鍵の暗号鍵として使われる第３の鍵を予め定められた複数のメディア識別コードで暗号化して生成した第２の暗号化暗号鍵集合体とをリードイン領域にエンボスピットにより記録し、
複数のメディア識別コード群からメディア毎に前記第１の鍵で個別に暗号化して生成した暗号化メディア識別コードを特定領域に書換え不可能な手法で記録した記録媒体。
【請求項７】  第１の鍵を予め定められた複数の第２の鍵で暗号化して生成した第１の暗号化暗号鍵集合体と、複数の暗号化メディア識別コードをメディア鍵で復号して複数のメディア識別コードを抽出し、コンテンツ暗号鍵または該コンテンツ暗号鍵の暗号鍵として使われる第３の鍵を複数のメディア識別コードで暗号化して生成した第２の暗号化暗号鍵集合体とをリードイン領域にエンボスピットにより記録し、
複数のメディア識別コード群からメディア毎に前記第１の鍵で個別に暗号化して生成した暗号化メディア識別コードを特定領域に書換え不可能な手法で記録した記録媒体。
【請求項８】  第１の鍵を予め定められた複数の第２の鍵で暗号化して第１の暗号化暗号鍵集合体を生成する手段と、
コンテンツ暗号鍵または該コンテンツ暗号鍵の暗号鍵として使われる第３の鍵を予め定められた複数のメディア識別コードで暗号化して第２の暗号化暗号鍵集合体を生成する手段と、
複数のメディア識別コードをメディア毎に前記第１の鍵で暗号化して暗号化メディア識別コードを生成する手段と、
暗号化コンテンツ、コンテンツ暗号鍵、第１の暗号化暗号鍵集合体、第２の暗号化暗号鍵集合体、暗号化メディア識別コードを媒体に記録する手段と、
を具備するコンテンツ記録装置。
【請求項９】  第１の鍵を予め定められた複数の第２の鍵で暗号化して第１の暗号化暗号鍵集合体を生成する手段と、
複数の暗号化メディア識別コードをメディア鍵で復号して複数のメディア識別コードを抽出し、コンテンツ暗号鍵または該コンテンツ暗号鍵の暗号鍵として使われる第３の鍵を複数のメディア識別コードで暗号化して第２の暗号化暗号鍵集合体を生成する手段と、
暗号化コンテンツ、コンテンツ暗号鍵、第１の暗号化暗号鍵集合体、第２の暗号化暗号鍵集合体、メディア識別コードを媒体に記録する手段と、
を具備するコンテンツ記録装置。
【請求項１０】  第１の鍵を予め定められた複数の第２の鍵で暗号化して生成した第１の暗号化暗号鍵集合体と、コンテンツ暗号鍵または該コンテンツ暗号鍵の暗号鍵として使われる第３の鍵を予め定められた複数のメディア識別コードで暗号化して生成した第２の暗号化暗号鍵集合体とをリードイン領域にエンボスピットにより記録し、
複数のメディア識別コード群からメディア毎に前記第１の鍵で個別に暗号化して生成した暗号化メディア識別コードを特定領域に書換え不可能な手法で記録した記録媒体に暗号化コンテンツを記録するコンテンツ記録装置において、
記録媒体から前記第１の暗号化暗号鍵集合体を読み出し、コンテンツ暗号用のデバイス鍵を用いて前記第１の鍵を抽出する手段と、
記録媒体から前記暗号化メディア識別コードを読出し、前記第１の鍵で復号し、複数のメディア識別コードを生成する手段と、
記録媒体から前記第２の暗号化暗号鍵集合体を読出し、複数のメディア識別コードを用いて前記第３の鍵を抽出する手段と、
コンテンツをタイトル鍵で暗号化し、タイトル鍵を前記第３の鍵で暗号化し、暗号化コンテンツと暗号化タイトル鍵を記録媒体に記録する手段と、
を具備するコンテンツ記録装置。
【手続補正２】
【補正対象書類名】明細書
【補正対象項目名】００２１
【補正方法】削除
【補正の内容】